(57)【要約】【課題】光源から出射された光の損失を軽減する画像読取装置を提供する。【解決手段】画像読取装置２は、読取対象物に光を照射する光源２４ｈ（３６ｈ）と、光源２４ｈ（３６ｈ）と、読取対象物に光が照射される照射領域との間に配置され、光源２４ｈ（３６ｈ）から出射された光を透過する透明部材２２（３４）と、透明部材２２（３４）を保持する保持部材２３（３５）とを備える。保持部材２３（３５）には、光源２４ｈ（３６ｈ）から出射された光を照射領域に集光する集光部２３ｂ（３５ｂ）が設けられている。【選択図】図３
2012104913.tif 000002
【特許請求の範囲】
【請求項１】
読取対象物の画像を読み取る画像読取装置であって、
前記読取対象物に光を照射する光源と、
前記光源と、前記読取対象物に光が照射される照射領域との間に配置され、前記光源から出射された光を透過する透明部材と、
前記透明部材を保持する保持部材とを備え、
前記保持部材には、前記光源から出射された光を前記照射領域に集光する集光部が設けられていること
を特徴とする画像読取装置。
【請求項２】
請求項１に記載の画像読取装置であって、
前記保持部材には、前記光源から出射された光を通過させる開口部が形成されており、
前記集光部は、前記開口部と隣接する領域に配置された第１集光部および第２集光部を含むこと
を特徴とする画像読取装置。
【請求項３】
請求項２に記載の画像読取装置であって、
前記第１集光部および前記第２集光部は、凸レンズであり、
前記第１集光部は、前記読取対象物の搬送方向における上流側に配置され、
前記第２集光部は、前記読取対象物の搬送方向における下流側に配置され、
前記第１集光部による集光量は、前記第２集光部による集光量よりも多いこと
を特徴とする画像読取装置。
【請求項４】
請求項３に記載の画像読取装置であって、
前記第１集光部の曲率は、前記第２集光部の曲率よりも大きいこと
を特徴とする画像読取装置。
【請求項５】
請求項２から請求項４までのいずれか一つに記載の画像読取装置であって、
前記保持部材の前記第１集光部および前記第２集光部以外の部分には、遮光部材が設けられていること
を特徴とする画像読取装置。
【請求項６】
請求項１から請求項５までのいずれか一つに記載の画像読取装置であって、
前記集光部は、前記透明部材の搬送経路側の面とは反対側の面と接触するように設けられていること
を特徴とする画像読取装置。
【請求項７】
請求項１に記載の画像読取装置であって、
前記透明部材と、前記保持部材とが一体的に形成されていること
を特徴とする画像読取装置。
【請求項８】
請求項１から請求項７までのいずれか一つに記載の画像読取装置であって、
光を反射する反射部材と、
前記光源から出射された光を前記照射領域に導き、前記光源から出射された光を前記反射部材に導く導光部材とを備え、
前記反射部材により反射された光は、前記照射領域に入射すること
を特徴とする画像読取装置。
【請求項９】
請求項１から請求項８までのいずれか一つに記載の画像読取装置と、
前記画像読取装置により読み取られた画像データに基づいて、画像を形成する画像形成部とを備えること
を特徴とする画像形成装置。
【発明の詳細な説明】
【技術分野】
【０００１】
本発明は、読取対象物の画像を読み取る画像読取装置および画像読取装置を備える画像形成装置に関する。
【背景技術】
【０００２】
従来、読取対象物に光を照射する光源を備えた画像読取装置が知られている（たとえば、特許文献１参照）。
【０００３】
特許文献１には、光を出射するＬＥＤと、ＬＥＤから出射された光を被照射体の照射領域に導光する導光板とを備えた画像読取装置が開示されている。この画像読取装置では、導光板が受け台とカバーとにより挟み付けられている。これにより、導光板を受け台に取り付けるためのねじ穴を導光板に形成する必要がないので、ねじ穴により光が吸収されることがない。したがって、特許文献１の画像読取装置では、導光板における光の損失を抑制することが可能である。
【先行技術文献】
【特許文献】
【０００４】
【特許文献１】特開２０１０−１３００５６号公報
【発明の概要】
【発明が解決しようとする課題】
【０００５】
しかしながら、特許文献１に開示された従来の画像読取装置では、導光板から出射した光が照射領域以外の領域に到達するような場合には、照射領域以外の領域に到達した光が損失となる。すなわち、このような場合には、ＬＥＤから出射された光の損失が発生するという問題点がある。
【０００６】
本発明は、上記の課題を解決するためになされたものであり、光源から出射された光の損失を軽減する画像読取装置および画像読取装置を備える画像形成装置を提供することを目的とする。
【課題を解決するための手段】
【０００７】
本発明に係る画像読取装置は、読取対象物の画像を読み取る画像読取装置であって、前記読取対象物に光を照射する光源と、前記光源と、前記読取対象物に光が照射される照射領域との間に配置され、前記光源から出射された光を透過する透明部材と、前記透明部材を保持する保持部材とを備え、前記保持部材には、前記光源から出射された光を前記照射領域に集光する集光部が設けられていることを特徴とする。
【０００８】
この構成によって、保持部材に設けられた集光部により、光源から出射された光を照射領域に集光することができるので、光源から出射された光が照射領域以外の領域に到達するのを抑制することができる。したがって、光源から出射された光の損失を軽減することができる。
【０００９】
本発明に係る画像読取装置では、前記保持部材には、前記光源から出射された光を通過させる開口部が形成されており、前記集光部は、前記開口部と隣接する領域に配置された第１集光部および第２集光部を含むことを特徴とする。
【００１０】
この構成により、光源から出射された光が開口部を通過することにより、光源から出射された光が照射領域に到達し、光源から出射された光が第１集光部および第２集光部により集光されることにより、光源から出射された光が照射領域に到達する。
【００１１】
本発明に係る画像読取装置では、前記第１集光部および前記第２集光部は、凸レンズであり、前記第１集光部は、前記読取対象物の搬送方向における上流側に配置され、前記第２集光部は、前記読取対象物の搬送方向における下流側に配置され、前記第１集光部による集光量は、前記第２集光部による集光量よりも多いことを特徴とする。
【００１２】
この構成により、読取対象物の厚みが大きい場合にも、読取対象物の後端部を照らす光量を多くすることができるので、読取対象物の後端部に影が発生するのを抑制することができる。
【００１３】
本発明に係る画像読取装置では、前記第１集光部の曲率は、前記第２集光部の曲率よりも大きいことを特徴とする。
【００１４】
この構成により、第１集光部の集光度を第２集光部の集光度よりも大きくすることができる。
【００１５】
本発明に係る画像読取装置では、前記保持部材の前記第１集光部および前記第２集光部以外の部分には、遮光部材が設けられていることを特徴とする。
【００１６】
この構成により、迷光が照射領域に入射するのを抑制することができる。
【００１７】
本発明に係る画像読取装置では、前記集光部は、前記透明部材の搬送経路側の面とは反対側の面と接触するように設けられていることを特徴とする。
【００１８】
この構成により、集光部を照射領域の近傍に配置することができる。
【００１９】
本発明に係る画像読取装置では、前記透明部材と、前記保持部材とが一体的に形成されていることを特徴とする。
【００２０】
この構成により、部品点数を削減することができる。
【００２１】
本発明に係る画像読取装置では、光を反射する反射部材と、前記光源から出射された光を前記照射領域に導き、前記光源から出射された光を前記反射部材に導く導光部材とを備え、前記反射部材により反射された光は、前記照射領域に入射することを特徴とする。
【００２２】
この構成により、光路長の異なる複数の方向から照射領域を照射することができるので、照射領域に一方向からの光のみが照射される場合に比べて、照度にムラが発生するのを抑制することができる。
【００２３】
本発明に係る画像形成装置は、上記のいずれか一つに記載の画像読取装置と、前記画像読取装置により読み取られた画像データに基づいて、画像を形成する画像形成部とを備えることを特徴とする。
【００２４】
この構成によって、光源から出射された光の損失を軽減することが可能な画像読取装置を備える画像形成装置を得ることができる。
【発明の効果】
【００２５】
本発明に係る画像読取装置および画像読取装置を備える画像形成装置によれば、光源から出射された光の損失を軽減することができる。
【図面の簡単な説明】
【００２６】
【図１】本発明の実施の形態１に係る画像読取装置を備える画像形成装置の概略を示した断面図である。
【図２】図１に示した画像読取装置の概略図である。
【図３】図２に示した画像読取装置の透明部材周辺の拡大図である。
【図４】図３に示した画像読取装置の光源から光が出射された状態を示した図である。
【図５】図３に示した画像読取装置の第１レンズおよび第２レンズの集光度を説明するための図である。
【図６】本発明の実施の形態２に係る画像読取装置の透明部材周辺の拡大図である。
【図７】本発明の実施の形態３に係る画像読取装置の透明部材周辺の拡大図である。
【図８】本発明の実施の形態４に係る画像読取装置の透明部材周辺の拡大図である。
【発明を実施するための形態】
【００２７】
以下、本発明の実施の形態について図面を参照して説明する。
【００２８】
＜実施の形態１＞
図１は、本発明の実施の形態１に係る画像読取装置を備える画像形成装置の概略を示した断面図である。図１を参照して、実施の形態１に係る画像形成装置１について説明する。
【００２９】
画像形成装置１は、たとえば、スキャナ機能、ファクシミリ機能、およびプリンタ機能を有する複合機である。画像形成装置１は、読取対象物Ｇ（図２参照）の画像を読み取る画像読取装置２と、画像読取装置２により読み取られた画像データに基づいて、画像を形成する画像形成部３とを備えている。
【００３０】
画像形成部３は、感光体ドラム４ａ〜感光体ドラム４ｄと、帯電器５ａ〜帯電器５ｄと、露光装置６と、現像装置７ａ〜現像装置７ｄと、クリーナ装置８ａ〜クリーナ装置８ｄと、中間転写ローラ９ａ〜中間転写ローラ９ｄを有する中間転写ベルト装置９と、２次転写装置１０と、定着装置１１と、給紙トレイ１２と、排紙トレイ１３と、シート搬送装置１４とを含んでいる。
【００３１】
画像形成部３は、ブラック（Ｋ）、シアン（Ｃ）、マゼンタ（Ｍ）、イエロー（Ｙ）の各色を用いたカラー画像と、単色（たとえば、ブラック）を用いたモノクロ画像とを形成可能に構成されている。
【００３２】
具体的には、ブラックを形成する画像ステーションが、感光体ドラム４ａと、帯電器５ａと、現像装置７ａと、クリーナ装置８ａと、中間転写ローラ９ａとにより構成されている。また、シアンを形成する画像ステーションが、感光体ドラム４ｂと、帯電器５ｂと、現像装置７ｂと、クリーナ装置８ｂと、中間転写ローラ９ｂとにより構成されている。
【００３３】
また、マゼンタを形成する画像ステーションが、感光体ドラム４ｃと、帯電器５ｃと、現像装置７ｃと、クリーナ装置８ｃと、中間転写ローラ９ｃとにより構成されている。また、イエローを形成する画像ステーションが、感光体ドラム４ｄと、帯電器５ｄと、現像装置７ｄと、クリーナ装置８ｄと、中間転写ローラ９ｄとにより構成されている。
【００３４】
感光体ドラム４ａ〜感光体ドラム４ｄは、表面に光感光層を有する。帯電器５ａ〜帯電器５ｄは、感光体ドラム４ａ〜感光体ドラム４ｄの表面を所定の電位に均一に帯電させるために設けられている。帯電器５ａ〜帯電器５ｄは、接触型であるローラ型やブラシ型の帯電器であってもよいし、チャージャー型の帯電器であってもよい。
【００３５】
露光装置６は、たとえば、レーザダイオードおよび反射ミラーを有するレーザスキャニングユニット（ＬＳＵ）であり、帯電された感光体ドラム４ａ〜感光体ドラム４ｄの表面を画像データに応じて露光して、その表面に画像データに応じた静電潜像を形成する。
【００３６】
現像装置７ａ〜現像装置７ｄは、感光体ドラム４ａ〜感光体ドラム４ｄ上に形成された静電潜像を（Ｋ、Ｃ、Ｍ、Ｙ）のトナーにより現像する。クリーナ装置８ａ〜クリーナ装置８ｄは、現像および画像転写後に感光体ドラム４ａ〜感光体ドラム４ｄの表面に残留したトナーを除去および回収する。
【００３７】
中間転写ベルト装置９は、感光体ドラム４ａ〜感光体ドラム４ｄの上方に配置されており、中間転写ベルト９ｅと、中間転写ベルト駆動ローラ９ｆと、従動ローラ９ｇと、テンションローラ９ｈと、中間転写ベルトクリーニング装置９ｉとを含んでいる。
【００３８】
中間転写ベルト９ｅは、厚さ１００μｍ〜１５０μｍ程度のフィルムを用いて無端ベルト状に形成されている。中間転写ローラ９ａ〜中間転写ローラ９ｄ、中間転写ベルト駆動ローラ９ｆ、従動ローラ９ｇ、およびテンションローラ９ｈは、中間転写ベルト９ｅを張架して支持し、中間転写ベルト９ｅをＣ方向に周回移動させる。
【００３９】
中間転写ローラ９ａ〜中間転写ローラ９ｄは、中間転写ベルト９ｅの内側に回転可能に支持され、中間転写ベルト９ｅを介して感光体ドラム４ａ〜感光体ドラム４ｄに圧接されている。
【００４０】
中間転写ベルト９ｅは、感光体ドラム４ａ〜感光体ドラム４ｄに接触するように設けられている。中間転写ベルト９ｅには、感光体ドラム４ａ〜感光体ドラム４ｄの表面のトナー像が順次重ねて転写されることにより、カラーのトナー像（各色のトナー像）が形成される。
【００４１】
感光体ドラム４ａ〜感光体ドラム４ｄから中間転写ベルト９ｅへのトナー像の転写は、中間転写ベルト９ｅの内側（裏面）に圧接されている中間転写ローラ９ａ〜中間転写ローラ９ｄによって行われる。中間転写ローラ９ａ〜中間転写ローラ９ｄは、たとえば、直径８〜１０ｍｍのステンレスなどの金属軸と、金属軸を覆う導電性の弾性材（たとえば、ＥＰＤＭ、発泡ウレタン等）とを有する。中間転写ローラ９ａ〜中間転写ローラ９ｄには、トナー像を転写するために高電圧の転写バイアス（トナーの帯電極性（一）とは逆極性（＋）の高電圧）が印加されており、その導電性の弾性材により高電圧が中間転写ベルト９ｅに対して均一に印加される。
【００４２】
２次転写装置１０は、中間転写ベルト９ｅと接触する転写ローラ１０ａを有する。転写ローラ１０ａは、中間転写ベルト駆動ローラ９ｆと隣接するように、中間転写ベルト９ｅの外側に配置されている。中間転写ベルト９ｅと転写ローラ１０ａとは、相互に圧接されてニップ域を形成する。また、２次転写装置１０の転写ローラ１０ａには、中間転写ベルト９ｅ上の各色のトナー像を記録シートに転写させるための電圧（たとえば、トナーの帯電極性（一）とは逆極性（＋）の高電圧）が印加される。さらに、そのニップ域を定常的に得るために、転写ローラ１０ａおよび中間転写ベルト駆動ローラ９ｆのいずれか一方を硬質材料（金属製ローラ等）とし、他方を軟質材料（弾性ゴムローラや発泡性樹脂ローラ等）としている。
【００４３】
上述のように、感光体ドラム４ａ〜感光体ドラム４ｄの表面のトナー像は、中間転写ベルト９ｅで積層され、画像データに応じたカラーのトナー像となる。このように積層された各色のトナー像は、中間転写ベルト９ｅとともに搬送され、２次転写装置１０によって記録シート上に転写される。
【００４４】
また、２次転写装置１０によって中間転写ベルト９ｅ上のトナー像が記録シート上に完全に転写されず、中間転写ベルト９ｅ上にトナーが残留することがあり、この残留トナーが次工程でトナーの混色を発生させる原因となる。このため、中間転写ベルトクリーニング装置９ｉによって残留トナーを除去および回収する。
【００４５】
たとえば、中間転写ベルトクリーニング装置９ｉは、従動ローラ９ｇ側に押圧された状態で中間転写ベルト９ｅに接触するクリーニングブレードを有しており、このクリーニングブレードにより残留トナーが除去および回収される。
【００４６】
定着装置１１は、記録シートを挟み込んで搬送するヒートローラ１１ａおよび加圧ローラ１１ｂを有する。ヒートローラ１１ａは、所定の定着温度となるように温度制御され、加圧ローラ１１ｂとともに記録シートを熱圧着することにより、記録シートに転写されたトナー像を溶融、混合、圧接し、記録シートに対して熱定着させる機能を有している。また、定着装置１１には、ヒートローラ１１ａを外部から加熱するための外部加熱ベルト１１ｃが設けられている。
【００４７】
給紙トレイ１２は、記録シートを格納しておくためのトレイであり、排紙トレイ１３は、印刷済みの記録シートをフェイスダウンで載置するためのトレイである。
【００４８】
シート搬送装置１４は、記録シートを給紙トレイ１２から２次転写装置１０や定着装置１１を経由させて排紙トレイ１３に送るために設けられている。シート搬送装置１４では、シート搬送路Ｓに沿って、ピックアップローラ１４ａ、サバキローラ１４ｂ、分離ローラ１４ｃ、搬送ローラ１４ｄ、レジスト前ローラ対１４ｅ、レジストローラ対１４ｆ、および排紙ローラ１４ｇが配置されている。
【００４９】
ピックアップローラ１４ａは、給紙トレイ１２の近傍に設けられており、給紙トレイ１２から記録シートを１枚ずつシート搬送路Ｓに供給する呼び込みローラである。サバキローラ１４ｂは、分離ローラ１４ｃとの間に記録シートを通過させることにより、記録シートを１枚ずつ分離してシート搬送路Ｓへと搬送する。
【００５０】
搬送ローラ１４ｄおよびレジスト前ローラ対１４ｅは、記録シートの搬送を促進補助するための小型のローラである。なお、図１では、簡略化のために、搬送ローラ１４ｄを１個だけ示したが、実際には、搬送ローラ１４ｄは、シート搬送路Ｓに沿って複数箇所に設けられている。
【００５１】
レジスト前ローラ対１４ｅは、レジストローラ対１４ｆのシート搬送方向上流側の直近に設けられており、記録シートをレジストローラ対１４ｆへと搬送する。レジストローラ対１４ｆは、レジスト前ローラ対１４ｅから搬送されてきた記録シートを一旦停止させて、記録シートの先端を揃え、中間転写ベルト９ｅと転写ローラ１０ａとの間のニップ域で中間転写ベルト９ｅ上のカラーのトナー像が記録シートに転写されるように、中間転写ベルト９ｅの回転にあわせて、記録シートをタイミングよく搬送する。
【００５２】
たとえば、レジストローラ対１４ｆは、中間転写ベルト９ｅと転写ローラ１０ａとの間のニップ域で中間転写ベルト９ｅ上のカラーのトナ一像の先端が記録シートにおける画像形成範囲の先端に合うように、記録シートを搬送する。
【００５３】
トナー像が転写された記録シートは、ヒートローラ１１ａおよび加圧ローラ１１ｂにより、トナー像が記録シートに定着されながら搬送される。各色のトナー像が定着された記録シートは、排紙ローラ１４ｇによって排紙トレイ１３上に排出される。
【００５４】
なお、４つの画像形成ステーションのうち少なくとも一つを用いて、モノクロ画像を形成し、モノクロ画像を中間転写ベルト装置９の中間転写ベルト９ｅに転写することも可能である。このモノクロ画像も、カラー画像と同様に、中間転写ベルト９ｅから記録シートに転写され、記録シート上に定着される。
【００５５】
また、記録シートの表（オモテ）面だけではなく、両面の画像形成を行う場合は、記録シートの表面の画像を定着装置１１により定着した後に、記録シートをシート搬送路Ｓの排紙ローラ１４ｇにより搬送する途中で、排紙ローラ１４ｇを停止させてから逆回転させ、搬送ローラ１４ｈにより記録シートを表裏反転経路Ｓｒに通して、記録シートの表裏を反転させてから、記録シートを再びレジストローラ対１４ｆへと導き、記録シートの表面と同様に、記録シートの裏面にトナー像を転写して定着し、記録シートを排紙トレイ１３に排出する。
【００５６】
図２は、本発明の実施の形態１に係る画像読取装置の概略を示した断面図である。図２を参照して、実施の形態１に係る画像読取装置２について説明する。
【００５７】
画像読取装置２は、固定部材２０と、固定部材２０に対して開閉可能に取り付けられた原稿送り装置３０とを含んでいる。
【００５８】
固定部材２０は、原稿などの読取対象物Ｇが載置されるプラテンガラス２１と、光を透過する透明部材２２と、透明部材２２を保持する保持部材２３と、読取対象物Ｇの画像を読み取る第１読取ユニット２４と、第１読取ユニット２４を移動させる光学系駆動部２５とを有する。なお、透明部材２２および保持部材２３については、後で詳細に説明する。
【００５９】
プラテンガラス２１は、読取対象物Ｇの最大サイズよりも大きい透明なガラス板からなり、周縁部が枠体２６の上面に支持されている。
【００６０】
第１読取ユニット２４は、ミラー２４ａ〜ミラー２４ｄと、結像レンズ２４ｅと、ＣＣＤ（Charge Coupled Device：電荷結合素子）２４ｆとを有する。ミラー２４ａは、読取対象物Ｇからの反射光をミラー２４ｂへと導くために設けられている。ミラー２４ｂは、ミラー２４ａからの反射光をミラー２４ｃへと導くために設けられている。
【００６１】
ミラー２４ｃは、ミラー２４ｂからの反射光をミラー２４ｄへと導くために設けられている。ミラー２４ｄは、ミラー２４ｃからの反射光を結像レンズ２４ｅへと導くために設けられている。
【００６２】
結像レンズ２４ｅは、ミラー２４ｄからの反射光をＣＣＤ２４ｆの受光面に結像する機能を有する。ＣＣＤ２４ｆは、結像レンズ２４ｅからの光を受光面で受光して１ライン毎に繰り返し主走査方向（Ｙ方向およびＺ方向に直交する方向であり、紙面に対する垂直方向）に走査し、画像データとして電気信号に変換する。
【００６３】
光学系駆動部２５は、第１読取ユニット２４を副走査方向Ｙに移動させる光学ベルト２５ａと、第１読取ユニット２４を支持するスライドレール２５ｂおよびスライドシャフト２５ｃとを有する。
【００６４】
原稿送り装置３０は、原稿などの読取対象物Ｇが載置される原稿トレイ３１と、原稿トレイ３１に載置された読取対象物Ｇが搬送される搬送経路３２と、搬送経路３２から読取対象物Ｇが排出される排出トレイ３３と、光を透過する透明部材３４と、透明部材３４を保持する保持部材３５と、読取対象物Ｇの画像を読み取る第２読取ユニット３６とを含んでいる。なお、透明部材３４および保持部材３５については、後で詳細に説明する。
【００６５】
搬送経路３２は、読取対象物Ｇの表裏を反転させながら、読取対象物Ｇを案内するようにＵ字状に形成されている。たとえば、原稿トレイ３１にフェイスアップで載置された読取対象物Ｇは、Ｕ字状の搬送経路３２を通って排出トレイ３３にフェイスダウンで排出される。
【００６６】
搬送経路３２には、ピックアップローラ３２ａと、サバキローラ３２ｂおよび分離ローラ３２ｃと、レジストローラ対３２ｄと、上流側搬送ローラ対３２ｅと、下流側搬送ローラ対３２ｆと、排出ローラ対３２ｇとが順に設けられている。
【００６７】
ピックアップローラ３２ａは、原稿トレイ３１上に載置された読取対象物Ｇを搬送方向Ｙ３に沿って搬送経路３２内へ送り出すようになっている。
【００６８】
サバキローラ３２ｂは、ピックアップローラ３２ａより搬送方向Ｙ３の下流側に配置されており、ピックアップローラ３２ａにより送られてきた読取対象物Ｇを分離ローラ３２ｃとともに挟持しつつさらに搬送方向Ｙ３の下流側へ搬送するようになっている。分離ローラ３２ｃは、サバキローラ３２ｂとの間に搬送される読取対象物Ｇが１枚になるように読取対象物Ｇを捌く（分離する）ようになっている。これにより、読取対象物Ｇをレジストローラ対３２ｄに向けて１枚ずつ供給することができる。
【００６９】
レジストローラ対３２ｄは、サバキローラ３２ｂおよび分離ローラ３２ｃと上流側搬送ローラ対３２ｅとの間に配置されており、サバキローラ３２ｂおよび分離ローラ３２ｃにより搬送されてきた読取対象物Ｇを一旦停止させて、読取対象物Ｇの先端を揃え、画像の読み取りタイミングに合わせて、読取対象物Ｇをタイミングよく搬送するようになっている。
【００７０】
上流側搬送ローラ対３２ｅは、レジストローラ対３２ｄからの読取対象物Ｇを透明部材２２および透明部材３４に送り出して下流側搬送ローラ対３２ｆへ搬送するようになっている。下流側搬送ローラ対３２ｆは、透明部材２２および透明部材３４からの読取対象物Ｇを排出ローラ対３２ｇへ搬送するようになっている。
【００７１】
排出ローラ対３２ｇは、下流側搬送ローラ対３２ｆからの読取対象物Ｇを排出トレイ３３に排出するようになっている。ここでは、排出ローラ対３２ｇは、搬送経路３２に沿って複数対（具体的には二対）設けられている。
【００７２】
なお、原稿送り装置３０は、固定部材２０に対して開閉可能となっており、その下面には、固定部材２０のプラテンガラス２１上に載置された読取対象物Ｇを上から押さえる押さえ部材３７が設けられている。
【００７３】
第２読取ユニット３６は、原稿送り装置３０のフレーム３８に取り付けられている。第２読取ユニット３６は、ミラー３６ａ〜ミラー３６ｄと、結像レンズ３６ｅと、ＣＣＤ３６ｆとを有する。なお、ミラー３６ａ〜ミラー３６ｄ、結像レンズ３６ｅ、および、ＣＣＤ３６ｆは、それぞれ、上記したミラー２４ａ〜ミラー２４ｄ、結像レンズ２４ｅ、および、ＣＣＤ２４ｆと略同様に構成されており、ミラー３６ａ〜ミラー３６ｄ、結像レンズ３６ｅ、および、ＣＣＤ３６ｆについての説明を省略する。
【００７４】
ここで、搬送経路３２は、上流側搬送ローラ対３２ｅから下流側搬送ローラ対３２ｆまでが直線状に形成されている。これにより、原稿などよりも剛性のある名刺やカードなどの特殊原稿を確実に搬送することができ、これにより特殊原稿の搬送性を向上させることができる。
【００７５】
また、原稿送り装置３０は、特殊原稿用排出搬送経路３９と、特殊原稿用排出ローラ対４０と、特殊原稿用排出トレイ４１と、切換部材４２とを含んでいる。
【００７６】
特殊原稿用排出搬送経路３９は、下流側搬送ローラ対３２ｆから搬送されてくる特殊原稿などの読取対象物Ｇを特殊原稿用排出ローラ対４０へ案内するように構成されている。特殊原稿用排出ローラ対４０は、特殊原稿用排出搬送経路３９からの読取対象物Ｇを特殊原稿用排出トレイ４１に排出するために設けられている。そして、特殊原稿用排出トレイ４１は、特殊原稿用排出ローラ対４０により排出される読取対象物Ｇを積載する。
【００７７】
また、切換部材４２は、制御基板（図示省略）からの指示信号に基づき、原稿移動読取モードの通常モードにおいて読取対象物Ｇを下流側搬送ローラ対３２ｆから排出ローラ対３２ｇへ導く第１切換状態（図２において鎖線で示した状態）と、原稿移動読取モードの特殊原稿読取モードにおいて読取対象物Ｇを下流側搬送ローラ対３２ｆから特殊原稿用排出ローラ対４０へ導く第２切換状態（図２において実線で示した状態）とをとり得るように構成されている。
【００７８】
上記した構成により、画像読取装置２では、読取対象物Ｇの読み取りが指示された際に、原稿トレイ３１に読取対象物Ｇが載置されていない場合に原稿固定読取モードになり、プラテンガラス２１に載置された読取対象物Ｇの読み取りが開始される。そして、第１読取ユニット２４は、プラテンガラス２１を介してプラテンガラス２１に載置された読取対象物Ｇに対して光を照射しながら、一定の速度で副走査方向Ｙの他方側Ｙ２に移動して読取対象物Ｇの画像を読み取る。
【００７９】
具体的には、光学系駆動部２５により第１読取ユニット２４が初期位置の読取位置から副走査方向Ｙの他方側Ｙ２に移動する。そして、第１読取ユニット２４により照明されて読取対象物Ｇから反射された反射光は、ミラー２４ａ〜ミラー２４ｄで反射されたのち、結像レンズ２４ｅを介してＣＣＤ２４ｆの受光面に結像され、ここで光が読み取られてアナログ信号に変換される。
【００８０】
一方、読取対象物Ｇの読み取りが指示された際に、原稿トレイ３１に読取対象物Ｇが載置されている場合には原稿移動読取モードになり、原稿トレイ３１に載置された読取対象物Ｇの読み取りが開始される。そうすると、通常モードでは切換部材４２が第１切換状態にされ、原稿送り装置３０によって原稿などの読取対象物Ｇを読取位置へ向けて搬送方向Ｙ３に搬送して読取対象物Ｇの画像を第２読取ユニット２６により読み取る。
【００８１】
具体的には、原稿トレイ３１に載置された原稿などの読取対象物Ｇは、ピックアップローラ３２ａによって取り出され、サバキローラ３２ｂおよび分離ローラ３２ｃによって１枚ずつに分離され、搬送経路３２に搬送される。搬送経路３２に搬送された読取対象物Ｇは、レジストローラ対３２ｄによって、斜行防止のために先端が揃えられるとともに、規定の読み取りタイミングで送り出され、上流側搬送ローラ対３２ｅを経て透明部材２２および透明部材３４へと搬送される。そして、透明部材２２および透明部材３４を通過した読取対象物Ｇの一方の面（表面）に、第２読取ユニット３６からの光が透明部材３４を介して照射されて該一方の面で反射される。この読取対象物Ｇの一方の面から反射された光は、ミラー３６ａ〜ミラー３６ｄによって反射された後、結像レンズ３６ｅを介してＣＣＤ３６ｆの受光面に結像され、ここで光が読み取られてアナログ信号に変換される。
【００８２】
読み取りが終了した読取対象物Ｇは、下流側搬送ローラ対３２ｆによって透明部材２２および透明部材３４から引き出され、搬送経路３２を経て排出ローラ対３２ｇによって排出トレイ３３上に排出される。
【００８３】
なお、読取対象物Ｇの一方の面と他方の面との両面を読み取る場合には、第２読取ユニット３６とともに読取位置に静止させた第１読取ユニット２４を用いるが、この読み取り動作については前述した第１読取ユニット２４と略同様であり、ここでは説明を省略する。
【００８４】
また、原稿移動読取モードの特殊原稿読取モードでは、切換部材４２が第２切換状態にされ、通常モードと同様にして読み取りが終了した特殊原稿などの読取対象物Ｇは、下流側搬送ローラ対３２ｆによって透明部材２２および透明部材３４から引き出され、特殊原稿用排出搬送経路３９を経て特殊原稿用排出ローラ対４０によって特殊原稿用排出トレイ４１上に排出される。
【００８５】
図３は、本発明の実施の形態１に係る画像読取装置の透明部材周辺の拡大図である。図４は、図３に示した画像読取装置の光源から光が出射された状態を示した図である。図５は、図３に示した画像読取装置の第１レンズおよび第２レンズの集光度を説明するための図である。図３〜図５を参照して、実施の形態１に係る画像読取装置２の透明部材２２および透明部材３４の周辺の構成について説明する。
【００８６】
第１読取ユニット２４は、基板２４ｇと、基板２４ｇ上に搭載された光源２４ｈと、基板２４ｇに取り付けられた導光部材２４ｉと、反射部材（リフレクタ）２４ｊとを含んでいる。基板２４ｇ、導光部材２４ｉ、および反射部材２４ｊは、主走査方向（紙面に対する垂直方向）に沿って延びるように形成されており、この主走査方向の読み取り範囲と同程度の長さを有する。
【００８７】
光源２４ｈは、主走査方向において間隔を隔てて配置される複数のＬＥＤ（Light Emitting Diode：発光ダイオード）により構成されており、原稿や名刺などの読取対象物Ｇ（図２参照）に光を照射するために設けられている。複数のＬＥＤは、主走査方向の読み取り範囲と対応するように配置されている。複数のＬＥＤは、基板２４ｇの配線パターンに接続され、基板２４ｇの配線パターンがハーネス（図示せず）を通じてドライバ回路（図示せず）に接続されている。このドライバ回路は、ハーネスおよび基板２４ｇの配線パターンを通じてＬＥＤへと電力を供給し、ＬＥＤの点灯および消灯を制御する。
【００８８】
導光部材２４ｉは、透光性を有するガラスまたは合成樹脂からなり、合成樹脂は、たとえば、ＰＭＭＡ（ポリメタクリル酸メチル）またはポリカーボネートからなる。導光部材２４ｉは、基板２４ｇの表面側を覆うように設けられている。導光部材２４ｉは、光源２４ｈから出射された光を照射領域Ｔ１（図４参照）に導き、光源２４ｈから出射された光を反射部材２４ｊに導くために設けられている。なお、照射領域Ｔ１は、光源２４ｈから出射された光が原稿や名刺などの読取対象物Ｇ（図２参照）に照射される領域である。
【００８９】
導光部材２４ｉは、光源２４ｈから出射された光を範囲Ｒ１（図４参照）へと導く直接出射部２４１ｉと、光源２４ｈから出射された光を範囲Ｒ２（図４参照）へと導く間接出射部２４２ｉとを有している。直接出射部２４１ｉおよび間接出射部２４２ｉは、相互に連結されて一体化されている。
【００９０】
直接出射部２４１ｉは、内側面（光源２４ｈ側の光入射面）が平坦面であり、外側面（照射領域Ｔ１側の光出射面）が凸面である。間接出射部２４２ｉは、内側面（光源２４ｈ側の光入射面）が平坦面であり、外側面（照射領域Ｔ１側の光出射面）が凸面である。
【００９１】
また、第１読取ユニット２４には、光源２４ｈと反射部材２４ｊとの間に主走査方向に沿ってスリット２４ｋが形成されている。スリット２４ｋの真上に照射領域Ｔ１が設定され、スリット２４ｋの直下にミラー２４ａ（図２参照）が配置されている。導光部材２４ｉは、スリット２４ｋに対して光源２４ｈ側に設けられている。
【００９２】
光源２４ｈのＬＥＤの光出射面は、反射部材２４ｊ側に向いており、ＬＥＤの光軸が左方向（矢印Ｙ１方向）に向いている。ＬＥＤの光の出射範囲は、光軸を中心として、光軸からいずれの方向にも略９０度までである。また、基板２４ｇの表面が白色にされており、基板２４ｇの表面でＬＥＤの出射光が反射される。このため、ＬＥＤの光の殆どが、基板２４ｇの表面と、光軸と直交する面との間に挟まれる９０度の範囲に出射される。
【００９３】
反射部材２４ｊは、光源２４ｈおよび照射領域Ｔ１を向くように傾斜する板状部２４１ｊを有する。反射部材２４ｊは、導光部材２４ｉの間接出射部２４２ｉを透過してきた光を反射することにより、光源２４ｈから出射された光を範囲Ｒ３（図４参照）へと導くために設けられている。
【００９４】
透明部材２２は、主走査方向（紙面に対する垂直方向）に延びる透明なガラス板であり、光源２４ｈと照射領域Ｔ１との間に配置されている。透明部材２２は、光源２４ｈから出射された光を透過するとともに、読取対象物Ｇで反射された光を透過するように構成されている。
【００９５】
保持部材２３は、透明部材２２の下面２２ａおよび両側面を支持するように凹状に形成されている。保持部材２３は、透光性を有するガラスまたは合成樹脂からなり、合成樹脂は、たとえば、ＰＭＭＡ（ポリメタクリル酸メチル）またはポリカーボネートからなる。保持部材２３には、光源２４ｈから出射された光を通過させる開口部２３ａと、光源２４ｈから出射された光を照射領域Ｔ１に集光する集光部２３ｂとが形成されている。このように、保持部材２３に集光部２３ｂを形成することにより、集光部２３ｂを照射領域Ｔ１の近傍に配置することができる。
【００９６】
開口部２３ａは、初期位置（副走査方向Ｙの一方側Ｙ１の端部）に位置する第１読取ユニット２４のスリット２４ｋの上方に形成されている。開口部２３ａは、スリット２４ｋと対応するように、主走査方向に延びるように形成されている。保持部材２３に開口部２３ａが形成されることにより、透明部材２２の下面２２ａの一部が露出されている。
【００９７】
集光部２３ｂは、開口部２３ａと隣接する領域に配置された第１レンズ２３１ｂおよび第２レンズ２３２ｂを含んでいる。第１レンズ２３１ｂおよび第２レンズ２３２ｂは、開口部２３ａを挟んで、対向するように配置されている。具体的には、保持部材２３には、搬送方向Ｙ３に沿って、第１レンズ２３１ｂ、開口部２３ａ、第２レンズ２３２ｂが順に配置されている。すなわち、第１レンズ２３１ｂは、読取対象物Ｇの搬送方向Ｙ３における上流側に配置され、第２レンズ２３２ｂは、読取対象物Ｇの搬送方向Ｙ３における下流側に配置されている。
【００９８】
第１レンズ２３１ｂおよび第２レンズ２３２ｂは、上面が凸状に形成された平凸レンズであり、透明部材２２の下面２２ａと接触するように設けられている。第１レンズ２３１ｂおよび第２レンズ２３２ｂは、主走査方向に延びるように形成されている。すなわち、第１レンズ２３１ｂおよび第２レンズ２３２ｂは、平凸型のシリンドリカルレンズである。なお、透明部材２２では、上面は読取対象物Ｇが通過する搬送経路３２側の面であり、下面２２ａは搬送経路３２側の面とは反対側の面である。
【００９９】
また、第１レンズ２３１ｂの曲率が第２レンズ２３２ｂの曲率よりも大きい。すなわち、第１レンズ２３１ｂの曲率半径が第２レンズ２３２ｂの曲率半径よりも小さい。したがって、第１レンズ２３１ｂの焦点距離が第２レンズ２３２ｂの焦点距離よりも短いので、図５に示すように、読取対象物Ｇの被照射面における第１レンズ２３１ｂの集光度を、読取対象物Ｇの被照射面における第２レンズ２３２ｂの集光度よりも大きくすることができる。これにより、第１レンズ２３１ｂおよび第２レンズ２３２ｂに入射された光を適切に照射領域Ｔ１（図４参照）に導くことができる。
【０１００】
保持部材２３の第１レンズ２３１ｂよりも上流側および保持部材２３の第２レンズ２３２ｂよりも下流側を覆うように遮光部材２３ｃが設けられている。遮光部材２３ｃは、たとえば、黒色の塗料であり、保持部材２３の第１レンズ２３１ｂおよび第２レンズ２３２ｂ以外の部分に設けられている。このように、遮光部材２３ｃを設けることにより、迷光が照射領域Ｔ１に入射するのを抑制することができる。なお、遮光部材２３ｃは、保持部材２３の搬送経路３２に対する外側のみに設けられていてもよいし、保持部材２３の搬送経路３２に対する外側および内側（保持部材２３の透明部材２２と接触する部分）に設けられていてもよい。
【０１０１】
ここで、光源２４ｈから出射され、導光部材２４ｉの直接出射部２４１ｉを透過した範囲Ｒ１の光のうち、保持部材２３の開口部２３ａを通過する光は、透明部材２２を透過して、照射領域Ｔ１に到達する。また、光源２４ｈから出射され、導光部材２４ｉの直接出射部２４１ｉを透過した範囲Ｒ１の光のうち、第１レンズ２３１ｂに入射する光は、第１レンズ２３１ｂにより集光され、透明部材２２を透過して、照射領域Ｔ１に到達する。これらの照射領域Ｔ１に到達する光（範囲Ｒ１の光）は、ＬＥＤの離間配置による照度ムラが生じ易い。
【０１０２】
また、光源２４ｈから出射され、導光部材２４ｉの間接出射部２４２ｉを透過した範囲Ｒ２の光は、反射部材２４ｊにより反射され、範囲Ｒ３に導かれる。この範囲Ｒ３の光のうち、保持部材２３の開口部２３ａを通過する光は、透明部材２２を透過して、照射領域Ｔ１に到達する。また、範囲Ｒ３の光のうち、第２レンズ２３２ｂに入射する光は、第２レンズ２３２ｂにより集光され、透明部材２２を透過して、照射領域Ｔ１に到達する。これらの照射領域Ｔ１に到達する光（範囲Ｒ３の光）は、範囲Ｒ１の光に比べて、光路長が長いことから光が分散し易いので照度ムラが少ない。
【０１０３】
このように、光路長の異なる複数の方向から照射領域Ｔ１を照射することができるので、照射領域Ｔ１に範囲Ｒ１の光のみが照射される場合に比べて、照度にムラが発生するのを抑制することができる。
【０１０４】
また、範囲Ｒ１の光量と範囲Ｒ３の光量との比がたとえば６：４となるように設定されている。そして、第１レンズ２３１ｂに入射される光量が第２レンズ２３２ｂに入射される光量よりも多くなるように設定されている。これにより、第１レンズ２３１ｂによる集光量を、第２レンズ２３２ｂによる集光量よりも多くすることができる。したがって、読取対象物Ｇが名刺などであり、厚みが大きい場合にも、読取対象物Ｇの後端部を照らす光量を多くすることができるので、読取対象物Ｇの後端部に影が発生するのを抑制することができる。なお、読取対象物Ｇの先端部については、読取開始位置を判別することが可能であるので、影が発生した場合には、画像処理により影を除去することが可能である。
【０１０５】
上記のように、画像形成装置１（画像読取装置２）は、読取対象物Ｇに光を照射する光源２４ｈと、光源２４ｈと、読取対象物Ｇに光が照射される照射領域Ｔ１との間に配置され、光源２４ｈから出射された光を透過する透明部材２２と、透明部材２２を保持する保持部材２３とを備え、保持部材２３には、光源２４ｈから出射された光を照射領域Ｔ１に集光する集光部２３ｂが設けられている。
【０１０６】
このように構成することによって、保持部材２３に設けられた集光部２３ｂにより、光源２４ｈから出射された光を照射領域Ｔ１に集光することができるので、光源２４ｈから出射された光が照射領域以外の領域に到達するのを抑制することができる。したがって、光源２４ｈから出射された光の損失を軽減することができる。
【０１０７】
第２読取ユニット３６は、基板３６ｇと、基板３６ｇ上に搭載された光源３６ｈと、基板３６ｇに取り付けられた導光部材３６ｉと、反射部材（リフレクタ）３６ｊとを含んでいる。なお、基板３６ｇ、光源３６ｈ、導光部材３６ｉ、および、反射部材３６ｊは、それぞれ、上記した基板２４ｇ、光源２４ｈ、導光部材２４ｉ、および、反射部材２４ｊと略同様に構成されており、基板３６ｇ、光源３６ｈ、導光部材３６ｉ、および、反射部材３６ｊについての説明を省略する。
【０１０８】
また、第２読取ユニット３６には、光源３６ｈと反射部材３６ｊとの間に主走査方向に沿ってスリット３６ｋが形成されている。スリット３６ｋの下方に照射領域Ｔ２（図４参照）が設定され、スリット３６ｋの上方にミラー３６ａ（図２参照）が配置されている。導光部材３６ｉは、スリット３６ｋに対して光源３６ｈ側に設けられている。
【０１０９】
透明部材３４は、主走査方向（紙面に対する垂直方向）に延びる透明なガラス板であり、光源３６ｈと照射領域Ｔ２との間に配置されている。透明部材３４は、光源３６ｈから出射された光を透過するとともに、読取対象物Ｇで反射された光を透過するように構成されている。なお、透明部材３４の搬送方向Ｙ３における長さは、透明部材２２の搬送方向Ｙ３における長さの約半分である。
【０１１０】
保持部材３５は、透明部材３４の上面３４ａおよび両側面を支持するように凹状に形成されている。保持部材３５は、第２読取ユニット３６の下端面に一体的に設けられている。保持部材３５は、透光性を有するガラスまたは合成樹脂からなり、合成樹脂は、たとえば、ＰＭＭＡ（ポリメタクリル酸メチル）またはポリカーボネートからなる。保持部材３５には、光源３６ｈから出射された光を通過させる開口部３５ａと、光源３６ｈから出射された光を照射領域Ｔ２に集光する集光部３５ｂとが形成されている。このように、保持部材３５に集光部３５ｂを形成することにより、集光部３５ｂを照射領域Ｔ２の近傍に配置することができる。
【０１１１】
開口部３５ａは、第２読取ユニット３６のスリット３６ｋの下方に形成されている。開口部３５ａは、スリット３６ｋと対応するように、主走査方向に延びるように形成されている。保持部材３５に開口部３５ａが形成されることにより、透明部材３４の上面３４ａの一部が露出されている。
【０１１２】
集光部３５ｂは、開口部３５ａと隣接する領域に配置された第１レンズ３５１ｂおよび第２レンズ３５２ｂを含んでいる。第１レンズ３５１ｂおよび第２レンズ３５２ｂは、開口部３５ａを挟んで、対向するように配置されている。具体的には、保持部材３５には、搬送方向Ｙ３に沿って、第１レンズ３５１ｂ、開口部３５ａ、第２レンズ３５２ｂが順に配置されている。すなわち、第１レンズ３５１ｂは、読取対象物Ｇの搬送方向Ｙ３における上流側に配置され、第２レンズ３５２ｂは、読取対象物Ｇの搬送方向Ｙ３における下流側に配置されている。
【０１１３】
第１レンズ３５１ｂおよび第２レンズ３５２ｂは、下面が凸状に形成された平凸レンズであり、透明部材３４の上面３４ａと接触するように設けられている。第１レンズ３５１ｂおよび第２レンズ３５２ｂは、主走査方向に延びるように形成されている。すなわち、第１レンズ３５１ｂおよび第２レンズ３５２ｂは、平凸型のシリンドリカルレンズである。なお、透明部材３４では、下面は読取対象物Ｇが通過する搬送経路３２側の面であり、上面３４ａは搬送経路３２側の面とは反対側の面である。
【０１１４】
また、第１レンズ３５１ｂの曲率が第２レンズ３５２ｂの曲率よりも大きい。すなわち、第１レンズ３５１ｂの曲率半径が第２レンズ３５２ｂの曲率半径よりも小さい。したがって、第１レンズ３５１ｂの焦点距離が第２レンズ３５２ｂの焦点距離よりも短いので、読取対象物Ｇの被照射面における第１レンズ３５１ｂの集光度を、読取対象物Ｇの被照射面における第２レンズ３５２ｂの集光度よりも大きくすることができる。これにより、第１レンズ３５１ｂおよび第２レンズ３５２ｂに入射された光を適切に照射領域Ｔ２（図４参照）に導くことができる。
【０１１５】
保持部材３５の第１レンズ３５１ｂよりも上流側および保持部材３５の第２レンズ３５２ｂよりも下流側を覆うように遮光部材３５ｃが設けられている。遮光部材３５ｃは、たとえば、黒色の塗料であり、保持部材３５の第１レンズ３５１ｂおよび第２レンズ３５２ｂ以外の部分に設けられている。このように、遮光部材３５ｃを設けることにより、迷光が照射領域Ｔ２に入射するのを抑制することができる。なお、遮光部材３５ｃは、保持部材３５の搬送経路３２に対する外側のみに設けられていてもよいし、保持部材３５の搬送経路３２に対する外側および内側（保持部材３５の下面）に設けられていてもよい。
【０１１６】
ここで、光源３６ｈから出射され、導光部材３６ｉを透過した範囲Ｒ４（図４参照）の光のうち、保持部材３５の開口部３５ａを通過する光は、透明部材３４を透過して、照射領域Ｔ２に到達する。また、光源３６ｈから出射され、導光部材３６ｉを透過した範囲Ｒ４の光のうち、第２レンズ３５２ｂに入射する光は、第２レンズ３５２ｂにより集光され、透明部材３４を透過して、照射領域Ｔ２に到達する。これらの照射領域Ｔ２に到達する光（範囲Ｒ４の光）は、ＬＥＤの離間配置による照度ムラが生じ易い。
【０１１７】
また、光源３６ｈから出射され、導光部材３６ｉを透過した範囲Ｒ５の光は、反射部材３６ｊにより反射され、範囲Ｒ６に導かれる。この範囲Ｒ６の光のうち、保持部材３５の開口部３５ａを通過する光は、透明部材３４を透過して、照射領域Ｔ２に到達する。また、範囲Ｒ６の光のうち、第１レンズ３５１ｂに入射する光は、第１レンズ３５１ｂにより集光され、透明部材３４を透過して、照射領域Ｔ２に到達する。これらの照射領域Ｔ２に到達する光（範囲Ｒ６の光）は、範囲Ｒ４の光に比べて、光路長が長いことから光が分散し易いので照度ムラが少ない。
【０１１８】
このように、光路長の異なる複数の方向から照射領域Ｔ２を照射することができるので、照射領域Ｔ２に範囲Ｒ４の光のみが照射される場合に比べて、照度にムラが発生するのを抑制することができる。
【０１１９】
また、範囲Ｒ６の光量と範囲Ｒ４の光量との比がたとえば６：４となるように設定されている。そして、第１レンズ３５１ｂに入射される光量が第２レンズ３５２ｂに入射される光量よりも多くなるように設定されている。これにより、第１レンズ３５１ｂによる集光量を、第２レンズ３５２ｂによる集光量よりも多くすることができる。したがって、読取対象物Ｇが名刺などであり、厚みが大きい場合にも、読取対象物Ｇの後端部を照らす光量を多くすることができるので、読取対象物Ｇの後端部に影が発生するのを抑制することができる。なお、読取対象物Ｇの先端部については、読取開始位置を判別することが可能であるので、影が発生した場合には、画像処理により影を除去することが可能である。
【０１２０】
上記のように、画像形成装置１（画像読取装置２）は、読取対象物Ｇに光を照射する光源３６ｈと、光源３６ｈと、読取対象物Ｇに光が照射される照射領域Ｔ２との間に配置され、光源３６ｈから出射された光を透過する透明部材３４と、透明部材３４を保持する保持部材３５とを備え、保持部材３５には、光源３６ｈから出射された光を照射領域Ｔ２に集光する集光部３５ｂが設けられている。
【０１２１】
このように構成することによって、保持部材３５に設けられた集光部３５ｂにより、光源３６ｈから出射された光を照射領域Ｔ２に集光することができるので、光源３６ｈから出射された光が照射領域以外の領域に到達するのを抑制することができる。したがって、光源３６ｈから出射された光の損失を軽減することができる。
【０１２２】
＜実施の形態２＞
図６は、本発明の実施の形態２に係る画像読取装置の透明部材周辺の拡大図である。図６を参照して、実施の形態２に係る画像読取装置５０の構成について説明する。
【０１２３】
画像読取装置５０では、上面が凸状に形成された平凸レンズである第１レンズ２３１ｂおよび第２レンズ２３２ｂ（図３参照）の代わりに、下面が凸状に形成された平凸レンズである第１レンズ５１および第２レンズ５２が設けられ、下面が凸状に形成された平凸レンズである第１レンズ３５１ｂおよび第２レンズ３５２ｂ（図３参照）の代わりに、上面が凸状に形成された平凸レンズである第１レンズ５３および第２レンズ５４が設けられている。
【０１２４】
なお、第１レンズ５１および第２レンズ５２の機能は、それぞれ、第１レンズ２３１ｂおよび第２レンズ２３２ｂと同様であり、第１レンズ５３および第２レンズ５４の機能は、それぞれ、第１レンズ３５１ｂおよび第２レンズ３５２ｂと同様である。また、画像読取装置５０のその他の構成は、上記した画像読取装置２と同様である。
【０１２５】
＜実施の形態３＞
図７は、本発明の実施の形態３に係る画像読取装置の透明部材周辺の拡大図である。図７を参照して、実施の形態３に係る画像読取装置６０の構成について説明する。
【０１２６】
画像読取装置６０では、透明部材２２と保持部材２３（図６参照）とが一体的に形成され、透明部材３４と保持部材３５（図６参照）とが一体的に形成されている。この構成により、部品点数を削減することができる。
【０１２７】
具体的には、透明部材２２および保持部材２３の代わりに、透明部材６１が設けられ、透明部材３４および保持部材３５の代わりに、透明部材６２が設けられている。
【０１２８】
透明部材６１は、透光性を有するガラスまたは合成樹脂からなり、合成樹脂は、たとえば、ＰＭＭＡ（ポリメタクリル酸メチル）またはポリカーボネートからなる。透明部材６１は、主走査方向（紙面に対する垂直方向）に延びるように形成されている。透明部材６１には、光源２４ｈから出射された光を照射領域に集光する集光部６１１が形成されている。
【０１２９】
集光部６１１は、間隔を隔てて配置される第１レンズ６１１ａおよび第２レンズ６１１ｂを含んでいる。なお、第１レンズ６１１ａおよび第２レンズ６１１ｂの機能は、それぞれ、第１レンズ５１および第２レンズ５２（図６参照）と同様である。
【０１３０】
透明部材６１の第１レンズ６１１ａよりも上流側および透明部材６１の第２レンズ６１１ｂよりも下流側を覆うように遮光部材６１２が設けられている。遮光部材６１２は、たとえば、黒色の塗料である。なお、第１レンズ６１１ａおよび第２レンズ６１１ｂの間には、開口部が形成されていないが、遮光部材６１２が設けられていないので、第１レンズ６１１ａおよび第２レンズ６１１ｂの間に入射した光は、透光性の透明部材６１を透過して照射領域に到達する。
【０１３１】
透明部材６２は、透光性を有するガラスまたは合成樹脂からなり、合成樹脂は、たとえば、ＰＭＭＡ（ポリメタクリル酸メチル）またはポリカーボネートからなる。透明部材６２は、主走査方向（紙面に対する垂直方向）に延びるように形成されている。透明部材６２には、光源３６ｈから出射された光を照射領域に集光する集光部６２１が形成されている。
【０１３２】
集光部６２１は、間隔を隔てて配置される第１レンズ６２１ａおよび第２レンズ６２１ｂを含んでいる。なお、第１レンズ６２１ａおよび第２レンズ６２１ｂの機能は、それぞれ、第１レンズ５３および第２レンズ５４（図６参照）と同様である。
【０１３３】
透明部材６２の第１レンズ６２１ａよりも上流側および透明部材６２の第２レンズ６２１ｂよりも下流側を覆うように遮光部材６２２が設けられている。遮光部材６２２は、たとえば、黒色の塗料である。なお、第１レンズ６２１ａおよび第２レンズ６２１ｂの間には、開口部が形成されていないが、遮光部材６２２が設けられていないので、第１レンズ６２１ａおよび第２レンズ６２１ｂの間に入射した光は、透光性の透明部材６２を透過して照射領域に到達する。
【０１３４】
＜実施の形態４＞
図８は、本発明の実施の形態４に係る画像読取装置の透明部材周辺の拡大図である。図８を参照して、実施の形態４に係る画像読取装置７０の構成について説明する。
【０１３５】
画像読取装置７０では、上記した画像読取装置２と異なり、導光部材２４ｉおよび導光部材３６ｉが設けられていない。この構成により、部品点数を削減することができる。
【０１３６】
本発明は、上述した実施の形態１〜実施の形態４に限定されるものではない。たとえば、実施の形態１〜実施の形態４では、集光部として平凸レンズを示したが、これに限らず、集光部として両凸レンズを用いてもよい。
【０１３７】
また、実施の形態１〜実施の形態４では、保持部材に２個のレンズが設けられる例を示したが、これに限らず、保持部材に１個のレンズのみが設けられるようにしてもよい。
【０１３８】
また、実施の形態１〜実施の形態４では、第１レンズの曲率が第２レンズの曲率よりも大きい例を示したが、これに限らず、第１レンズの曲率が第２レンズの曲率と同じであってもよいし、第１レンズの曲率が第２レンズの曲率よりも小さくてもよい。
【０１３９】
また、実施の形態１〜実施の形態４では、第１レンズに入射される光量が第２レンズに入射される光量よりも多い例を示したが、これに限らず、第１レンズに入射される光量が第２レンズに入射される光量以下であってもよい。
【０１４０】
また、実施の形態１〜実施の形態４では、透光性を有する保持部材に集光部が形成され、保持部材に遮光部材が設けられる例を示したが、これに限らず、遮光性を有する保持部材に、透光性を有する集光部が取り付けられていてもよい。
【符号の説明】
【０１４１】
１  画像形成装置
２、５０、６０、７０  画像読取装置
３  画像形成部
２２、３４  透明部材
２３、３５  保持部材
２３ａ、３５ａ  開口部
２３ｂ、３５ｂ、６１１、６２１  集光部
２３ｃ、３５ｃ、６１２、６２２  遮光部材
２４ｈ、３６ｈ  光源
２４ｉ、３６ｉ  導光部材
２４ｊ、３６ｊ  反射部材
５１、５３、２３１ｂ、３５１ｂ、６１１ａ、６２１ａ  第１レンズ（第１集光部）
５２、５４、２３２ｂ、３５２ｂ、６１１ｂ、６２１ｂ  第２レンズ（第２集光部）
【図１】
2012104913.tif 000003
【図２】
2012104913.tif 000004
【図３】
2012104913.tif 000005
【図４】
2012104913.tif 000006
【図５】
2012104913.tif 000007
【図６】
2012104913.tif 000008
【図７】
2012104913.tif 000009
【図８】
2012104913.tif 000010